(57)【特許請求の範囲】
【請求項１】
表示プログラム生成装置及び表示装置を備える地図処理システムであって、
前記表示プログラム生成装置は、
複数のオブジェクトのそれぞれに緯度経度情報、オブジェクトを示すアイコン、アイコンのサイズ及びアイコンの重畳レベルが対応付けられたオブジェクトデータを前記表示装置から受信するオブジェクトデータ受信部と、
前記複数のオブジェクトを、前記表示装置が地図データ提供装置から受信した地図データにおける前記緯度経度情報が示す緯度経度に配置して表示させるための表示プログラムを生成する表示プログラム生成部と、
前記表示プログラムを前記表示装置に送信する表示プログラム送信部と
を有し、
前記表示装置は、
移動通信網を構成する無線基地局に関するデータを格納する基地局データベースが格納する前記データに基づいて前記オブジェクトデータを取得するオブジェクトデータ取得部であって、前記基地局データベースが格納する無線基地局のリソース使用率に基づいて、前記オブジェクトを示すアイコン、前記アイコンのサイズ及び前記アイコンの重畳レベルの少なくともいずれかを取得するオブジェクトデータ取得部と、
前記オブジェクトデータを前記表示プログラム生成装置に送信するオブジェクトデータ送信部と、
前記表示プログラムを前記表示プログラム生成装置から受信する表示プログラム受信部と、
地図データ提供装置から地図データを受信する地図データ受信部と、
前記表示プログラムを実行することにより、前記複数のオブジェクトのそれぞれについて、前記地図データ受信部が受信した地図データにおける前記緯度経度に、前記アイコンのサイズ及び前記アイコンの重畳レベルに従って、前記アイコンを配置して表示させる地図表示制御部と
を有する、
地図処理システム。
【請求項２】
前記オブジェクトデータ取得部は、前記リソース使用率が高いほど大きいサイズの前記アイコンのサイズを取得する、請求項１に記載の地図処理システム。
【請求項３】
前記オブジェクトデータ取得部は、前記リソース使用率が高いほど高いレベルの前記アイコンの重畳レベルを取得する、請求項１に記載の地図処理システム。
【請求項４】
前記オブジェクトデータ受信部は、前記表示装置から複数のオブジェクトデータを受信し、
前記表示プログラム生成部は、前記複数のオブジェクトデータに含まれる複数のオブジェクトを、地図データにおける前記緯度経度情報が示す緯度経度に配置して表示させる表示プログラムを生成する、請求項１から３のいずれか一項に記載の地図処理システム。
【請求項５】
前記オブジェクトデータはＣＳＶデータであり、前記表示プログラムはＪａｖａＳｃｒｉｐｔである、請求項１から４のいずれか一項に記載の地図処理システム。
【発明の詳細な説明】
【技術分野】
【０００１】
本発明は、地図処理システム、表示プログラム生成装置及びプログラムに関する。
【背景技術】
【０００２】
従来、地図上に配置するアイコンの登録を受け付けて、当該アイコンが配置された地図データを提供する情報提供サーバが知られていた。（例えば、特許文献１参照）。
［先行技術文献］
［特許文献］
［特許文献１］特開２０００−０１０４７１号公報
【発明の概要】
【発明が解決しようとする課題】
【０００３】
地図情報提供サーバが提供するサービスの使用方法を習得する負担を軽減でき、任意のデータを効率的に地図上に配置できるシステムが望まれていた。
【課題を解決するための手段】
【０００４】
本発明の第１の態様によれば、表示プログラム生成装置及び表示装置を備える地図処理システムであって、表示プログラム生成装置が、複数のオブジェクトのそれぞれに緯度経度情報が対応付けられたオブジェクトデータを表示装置から受信するオブジェクトデータ受信部と、複数のオブジェクトを、表示装置が地図データ提供装置から受信した地図データにおける緯度経度情報が示す緯度経度に配置して表示させるための表示プログラムを生成する表示プログラム生成部と、表示プログラムを表示装置に送信する表示プログラム送信部とを有し、表示装置が、オブジェクトデータを表示プログラム生成装置に送信するオブジェクトデータ送信部と、表示プログラムを表示プログラム生成装置から受信する表示プログラム受信部と、地図データ提供装置から地図データを受信する地図データ受信部と、表示プログラムを実行することにより、地図データ受信部が受信した地図データに、複数のオブジェクトを配置して表示させる地図表示制御部とを有する、地図処理システムを提供する。
【０００５】
上記地図処理システムにおいて、オブジェクトデータ受信部は、表示装置から複数のオブジェクトデータを受信してよく、表示プログラム生成部は、複数のオブジェクトデータに含まれる複数のオブジェクトを、地図データにおける緯度経度情報が示す緯度経度に配置して表示させる表示プログラムを生成してよい。上記地図処理システムにおいて、オブジェクトデータは、複数のオブジェクトのそれぞれに、緯度経度、オブジェクトを示すアイコン、アイコンのサイズ及びアイコンの重畳レベルが対応付けられたデータであってよく、地図表示部は、複数のオブジェクトのそれぞれについて、地図データにおける緯度経度に、アイコンのサイズ及びアイコンの重畳レベルに従って、アイコンを配置して表示させてよい。上記地図処理システムにおいて、オブジェクトデータはＣＳＶデータであってよく、表示プログラムはＪａｖａＳｃｒｉｐｔ（登録商標）であってよい。
【０００６】
本発明の第２の態様によれば、複数のオブジェクトのそれぞれに緯度経度情報が対応付けられたオブジェクトデータを表示装置から受信するオブジェクトデータ受信部と、表示装置が、複数のオブジェクトを、地図データ提供装置から受信した地図データにおける緯度経度情報が示す緯度経度に配置して表示させるための表示プログラムを生成するプログラム生成部と、表示装置に前記表示プログラムを送信する表示プログラム送信部とを備える表示プログラム生成装置が提供される。
【０００７】
本発明の第３の態様によれば、コンピュータを、上記表示プログラム生成装置として機能させるためのプログラムが提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】地図処理システムの一例を概略的に示す。
【図２】表示装置及び表示プログラム生成装置の機能構成の一例を概略的に示す。
【図３】オブジェクトデータの一例を概略的に示す。
【図４】移動通信網を構成する無線基地局に関するデータを格納する基地局データベースの一例を概略的に示す。
【図５】基地局データベースが格納するデータに基づいて取得されたオブジェクトデータの一例を示す。
【図６】地図表示制御部が表示させる地図表示画面の一例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、地図処理システム１００の一例を概略的に示す。地図処理システム１００は、表示装置２００及び表示プログラム生成装置３００を含む。表示装置２００及び表示プログラム生成装置３００は、ネットワーク１０を介して通信接続されてよい。ネットワーク１０は、例えば、インターネット及び電話網を含む。表示装置２００と表示プログラム生成装置３００とは、専用網を介して通信接続されてもよい。
【００１２】
表示装置２００は、地図データを提供する地図データ提供装置４００とネットワーク１０を介して通信する。地図データ提供装置４００は、緯度経度情報を含む地図データを提供する装置であればどのような装置であってもよい。例えば、地図データ提供装置４００は、Ｇｏｏｇｌｅ（登録商標）  Ｍａｐ、Ｙａｈｏｏ！（登録商標）及びｇｏｏ地図等のインターネット上で地図サービスを提供する装置である。
【００１３】
表示装置２００は、複数のオブジェクトのそれぞれに緯度経度情報が対応付けられたオブジェクトデータを表示プログラム生成装置３００に送信する。オブジェクトデータは、例えば、表示装置２００を使用する使用者５０によって生成される。使用者５０は、複数のオブジェクトのそれぞれに対して、オブジェクトを配置する緯度経度を示す緯度経度情報を対応付けたオブジェクトデータを生成してよい。
【００１４】
表示プログラム生成装置３００は、受信したオブジェクトデータに含まれる複数のオブジェクトを、表示装置２００に、地図データ提供装置４００が提供する地図データ上に配置して表示させるための表示プログラムを生成する。例えば、表示プログラム生成装置３００は、複数のオブジェクトを、地図データにおける、オブジェクトデータに含まれる緯度経度情報が示す緯度経度に配置して表示させるための表示プログラムを生成する。
【００１５】
表示プログラムは、複数のオブジェクトを地図データに配置して表示させるためのスクリプトであってよい。例えば、表示プログラムはＪａｖａＳｃｒｉｐｔ（登録商標）である。また、表示プログラムは、複数のオブジェクトを地図データに配置して表示させるためのＡＰＩ（Ａｐｐｌｉｃａｔｉｏｎ  Ｐｒｏｇｒａｍｍｉｎｇ  Ｉｎｔｅｒｆａｃｅ）であってよい。
【００１６】
表示プログラム生成装置３００は、生成した表示プログラムを表示装置２００に送信する。表示装置２００は、表示プログラム生成装置３００から受信した表示プログラムを実行することにより、地図データ提供装置４００から受信した地図データに、複数のオブジェクトを配置して表示する。
【００１７】
上述したように、表示装置２００は、地図データ提供装置４００に対してオブジェクトの情報を登録するのではなく、複数のオブジェクトの情報を含むオブジェクトデータを表示プログラム生成装置３００に送信する。そして、表示プログラム生成装置３００から受信した表示プログラムを実行することによって、地図データ提供装置４００が提供する地図データに複数のオブジェクトを配置して表示する。これにより、使用者５０は、地図データ提供装置４００が提供するサービスの使用方法を習得しなくても、地図データ提供装置４００が提供する地図データ上に所望のオブジェクトを配置して表示するサービスを享受することができる。
【００１８】
図２は、表示装置２００及び表示プログラム生成装置３００の機能構成の一例を概略的に示す。表示装置２００は、オブジェクトデータ取得部２０２、オブジェクトデータ送信部２０４、表示プログラム受信部２１２、地図データ受信部２２２、地図表示制御部２３０及び表示部２３２を備える。表示プログラム生成装置３００は、オブジェクトデータ受信部３０２、表示プログラム生成部３０４及び表示プログラム送信部３０６を備える。
【００１９】
オブジェクトデータ取得部２０２は、オブジェクトデータを取得する。オブジェクトデータ取得部２０２は、例えば、表示装置２００を用いて使用者５０によって生成されたオブジェクトデータを取得する。また、オブジェクトデータ取得部２０２は、他の装置を用いて使用者５０によって生成されたオブジェクトデータを、当該他の装置から受信してもよい。
【００２０】
オブジェクトデータ取得部２０２は、各種データを格納するデータベースからオブジェクトデータを取得してもよい。例えば、オブジェクトデータ取得部２０２は、施設及びイベント等のデータを格納するデータベースからオブジェクトデータを取得する。
【００２１】
具体例として、オブジェクトデータ取得部２０２は、日本国内の神社に関するデータを格納する神社データベース及び移動通信網を構成する無線基地局に関するデータを格納する基地局データベースからオブジェクトデータを取得する。オブジェクトデータ取得部２０２は、各種データを格納するデータベースから取得したオブジェクトデータに対して、使用者５０が編集を加えたオブジェクトデータを取得してもよい。
【００２２】
オブジェクトデータは、複数のオブジェクトのそれぞれの属性を含む。オブジェクトの属性は、オブジェクトを配置する緯度経度、オブジェクトの名称、オブジェクトを示すアイコン、アイコンのサイズ及びアイコンの重畳レベル等を含んでよい。
【００２３】
オブジェクトデータは、テキストデータであってよい。オブジェクトデータは、例えば、複数のオブジェクトのそれぞれの属性がカンマで区切られたＣＳＶ（Ｃｏｍｍａ  Ｓｅｐａｒａｔｅｄ  Ｖａｌｕｅｓ）データである。オブジェクトデータは、カンマ以外の記号によって、複数のオブジェクトのそれぞれの属性が区切られたテキストデータであってもよい。オブジェクトデータがテキストデータであることによって、特別な知識を有さない使用者５０であっても、オブジェクトデータを容易に生成することができる。
【００２４】
オブジェクトデータ送信部２０４は、オブジェクトデータ取得部２０２が取得したオブジェクトデータを、表示プログラム生成装置３００に送信する。オブジェクトデータ受信部３０２は、オブジェクトデータ送信部２０４からオブジェクトデータを受信する。
【００２５】
表示プログラム生成部３０４は、オブジェクトデータ受信部３０２が受信したオブジェクトデータに基づいて、表示プログラムを生成する。表示プログラム生成部３０４は、オブジェクトデータに含まれる複数のオブジェクトを、地図データにおける、オブジェクトデータに含まれる緯度経度情報が示す緯度経度に配置して表示させるための表示プログラムを生成してよい。表示プログラム生成部３０４は、例えば、複数のオブジェクトを、表示装置２００が地図データ提供装置４００から受信した地図データの、緯度経度情報が示す緯度経度に配置して表示させるための表示プログラムを生成する。
【００２６】
表示プログラム送信部３０６は、表示プログラム生成部３０４が生成した表示プログラムを表示装置２００に送信する。表示プログラム受信部２１２は、表示プログラム送信部３０６が送信した表示プログラムを受信する。
【００２７】
地図データ受信部２２２は、地図データ提供装置４００から地図データを受信する。地図データ受信部２２２は、緯度経度情報を含む地図データを受信してよい。
【００２８】
地図表示制御部２３０は、表示プログラム受信部２１２が受信した表示プログラムを実行することにより、地図データ受信部２２２が受信した地図データに複数のオブジェクトを配置して、表示部２３２に表示させる。
【００２９】
図３は、オブジェクトデータ２６０の一例を概略的に示す。オブジェクトデータ２６０は、ＩＤ欄２６２、緯度欄２６４、経度欄２６６、アイコン欄２６８、サイズ欄２７０及びｚＩｎｄｅｘ欄２７２を有する。
【００３０】
ＩＤ欄２６２は、複数のオブジェクトを識別するＩＤを含む。緯度欄２６４及び経度欄２６６は、オブジェクトを配置する緯度経度を含む。アイコン欄２６８は、オブジェクトに対応するアイコンの保存場所を含む。
【００３１】
サイズ欄２７０は、アイコンのサイズを含む。サイズ欄２７０は、アイコンのサイズを示すことができる値であればどのような値を含んでもよい。例えば、サイズ欄２７０は、ピクセル単位でアイコンのサイズを示す整数値を含む。
【００３２】
ｚＩｎｄｅｘ欄２７２は、アイコンの重畳レベルを含む。アイコンの重畳レベルとは、例えば２つのアイコンが地図上で重なる位置に配置された場合に、いずれのアイコンが上になるかを示すレベルである。ｚＩｎｄｅｘ欄２７２は、重畳レベルを示すことができる値であればどのような値を含んでもよい。例えば、ｚＩｎｄｅｘ欄２７２は、重畳レベルを示す整数値を含む。
【００３３】
表示プログラム生成部３０４は、ｚＩｎｄｅｘ欄２７２に含まれる値に従って、複数のオブジェクトの重畳度合を決定し、決定した重畳度合で重畳させたオブジェクトを地図データに配置して表示させるための表示プログラムを生成してよい。例えば、表示プログラム生成部３０４は、ｚＩｎｄｅｘ欄２７２に含まれる重畳レベルが１０のオブジェクトと２０のオブジェクトとを重畳する位置に配置する場合、重畳レベルが２０のオブジェクトに対応するアイコンを、重畳レベルが１０のオブジェクトに対応するアイコンの上に重ねて表示させる表示プログラムを生成する。
【００３４】
図４は、移動通信網を構成する無線基地局に関するデータを格納する基地局データベース５００の一例を概略的に示す。基地局データベース５００は、局名欄５０２、ＢＳＩＤ欄５０４、緯度欄５０６、経度欄５０８、リソース使用率欄５１０及びセクタ方向欄５１２を有する。
【００３５】
局名欄５０２は、無線基地局の局名を含む。ＢＳＩＤ欄５０４は、無線基地局に割り当てられたＢＳＩＤ（Ｂａｓｅ  Ｓｔａｔｉｏｎ  ＩＤｅｎｔｉｆｉｅｒ）を含む。緯度欄５０６及び経度欄５０８は、無線基地局の設置場所を示す緯度経度を含む。リソース使用率欄５１０は、無線基地局のリソース使用率を含む。セクタ方向欄５１２は、無線基地局のセクタ方向を含む。図４では、３つのセクタ方向が登録されている例を示す。セクタ方向欄５１２は、セクタ方向として、北方向を０度とした角度を含む。
【００３６】
図５は、基地局データベース５００が格納するデータに基づいて取得されたオブジェクトデータ２６０の一例を示す。オブジェクトデータ２６０は、ＩＤ欄２６２、緯度欄２６４、経度欄２６６、アイコン欄２６８、サイズ欄２７０及びｚＩｎｄｅｘ欄２７２に加えて、局名欄２７４、ＢＳＩＤ欄２７６、セクタ１欄２７８、セクタ２欄２８０及びセクタ３欄２８２を含む。
【００３７】
オブジェクトデータ取得部２０２は、局名欄５０２に含まれるデータを局名欄２７４に含めてよい。オブジェクトデータ取得部２０２は、ＢＳＩＤ欄５０４に含まれるデータをＢＳＩＤ欄２７６に含めてよい。オブジェクトデータ取得部２０２は、緯度欄５０６及び経度欄５０８に含まれるデータを、緯度欄２６４及び経度欄２６６に含めてよい。
【００３８】
オブジェクトデータ取得部２０２は、リソース使用率欄５１０に含まれるデータに基づいて、アイコン欄２６８に含めるデータを決定してよい。例えば、オブジェクトデータ取得部２０２は、リソース使用率欄５１０に含まれるリソース使用率に応じたアイコンの保存場所をアイコン欄２６８に含める。
【００３９】
具体例として、オブジェクトデータ取得部２０２は、リソース使用率が第１の閾値よりも高い場合に第１のアイコン、第１の閾値と第２の閾値との間の場合に第２のアイコン、第２の閾値と第３の閾値との間の場合に第３のアイコン、第３の閾値以下の場合に第４のアイコンの保存場所をアイコン欄２６８に含める。これにより、オブジェクトデータ取得部２０２は、リソース使用率に応じたアイコンの保存場所をアイコン欄２６８に含めることができる。このように、オブジェクトデータ取得部２０２は、各種データを格納するデータベースが格納するデータに基づいて、オブジェクトデータに含めるデータを決定してよい。
【００４０】
オブジェクトデータ取得部２０２は、サイズ欄２７０にデフォルトの値を含めてよい。また、オブジェクトデータ取得部２０２は、リソース使用率欄５１０に含まれるデータに基づいて、サイズ欄２７０に含めるデータを決定してもよい。例えば、オブジェクトデータ取得部２０２は、リソース使用率が高いほど大きい数値をサイズ欄２７０に含めてよい。
【００４１】
オブジェクトデータ取得部２０２は、リソース使用率欄５１０に含まれるデータに基づいて、ｚＩｎｄｅｘ欄２７２に含めるデータを決定してもよい。例えば、オブジェクトデータ取得部２０２は、リソース使用率が高いほど大きい数値をｚＩｎｄｅｘ欄２７２に含めてよい。
【００４２】
オブジェクトデータ取得部２０２は、セクタ方向欄５１２に含まれるデータを、セクタ１欄２７８、セクタ２欄２８０及びセクタ３欄２８２に含めてよい。
【００４３】
上述したように、各種データを格納するデータベースからオブジェクトデータを取得することによって、使用者５０が、一からオブジェクトデータを生成する手間を省くことができる。
【００４４】
図６は、地図表示制御部２３０が表示させる地図表示画面６００の一例を概略的に示す。地図表示画面６００は、地図領域６０２及びオブジェクト選択領域６０４を含む。地図領域６０２は、地図データを表示する領域である。地図表示制御部２３０は、地図データ提供装置４００から受信した地図データを、地図領域６０２に含めて表示させてよい。
【００４５】
オブジェクト選択領域６０４は、地図領域６０２に表示させるオブジェクトの選択を受け付ける領域である。オブジェクト選択領域６０４は、オブジェクトデータ送信部２０４が表示プログラム生成装置３００に送信したオブジェクトデータに対応する選択肢を含んでよい。
【００４６】
図６に示す例ではオブジェクト選択領域６０４が、基地局状況６１０、神社６２０、イベント６３０及びテーマパーク６４０を含み、それぞれチェックボックスによって選択可能に表示されている。チェックボックスは例示であり、オブジェクトに対応する選択肢を選択可能であれば、他の形態であってもよい。ここでは、基地局状況６１０及び神社６２０が選択されている場合を例示する。
【００４７】
基地局アイコン６１２は、基地局状況６１０に含まれるオブジェクトに対応する。基地局アイコン６１２は、オブジェクトの一例である無線基地局を表す。基地局アイコン６１２は、無線基地局のリソース使用率に応じて決定されたアイコンであってよい。これにより、無線基地局のリソース使用率を容易に把握させることができる。セクタ方向６１４は、無線基地局のセクタ方向を表す。これにより、無線基地局のセクタ方向を容易に把握させることができる。
【００４８】
神社アイコン６２２は、神社６２０に含まれるオブジェクトに対応する。神社アイコン６２２は、オブジェクトの一例である神社を表す。オブジェクト名６２４は、神社の名称を表す。
【００４９】
このように、地図表示制御部２３０は、複数のオブジェクトデータのそれぞれに含まれる複数のオブジェクトを地図データ上に配置して表示させてよい。これにより、一のオブジェクトデータに含まれる複数のオブジェクトと、他のオブジェクトデータに含まれる複数のオブジェクトとの関係を容易に把握できる地図表示を提供できる。例えば、地図表示制御部２３０が、基地局状況の情報と、神社の情報とを併せて地図データ上に配置することによって、基地局状況と神社との関係を容易に把握させることができる。
【００５０】
地図表示制御部２３０は、複数のオブジェクトデータのそれぞれに対応する複数の表示プログラムを実行することにより、複数のオブジェクトデータのそれぞれに含まれる複数のオブジェクトを地図データ上に配置して表示してよい。また、地図表示制御部２３０は、複数のオブジェクトデータに対して生成された一の表示プログラムを実行することにより、複数のオブジェクトデータのそれぞれに含まれる複数のオブジェクトを地図データ上に配置して表示してもよい。この場合、表示プログラム生成部３０４は、オブジェクトデータ受信部３０２が受信した複数のオブジェクトデータに含まれる複数のオブジェクトを、地図データにおける、オブジェクトデータに含まれる緯度経度情報が示す緯度経度に配置して表示させる表示プログラムを生成してよい。
【００５１】
以上の説明において、表示プログラム生成装置３００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、表示プログラム生成装置３００として機能してもよい。プログラムは、コンピュータ読み取り可能な媒体又はネットワークに接続された記憶装置から、表示プログラム生成装置３００の少なくとも一部を構成するコンピュータにインストールされてよい。
【００５２】
コンピュータにインストールされ、コンピュータを本実施形態に係る表示プログラム生成装置３００として機能させるプログラムは、ＣＰＵ等に働きかけて、コンピュータを、表示プログラム生成装置３００の各部としてそれぞれ機能させる。これらのプログラムに記述された情報処理は、コンピュータに読込まれることにより、ソフトウエアと表示プログラム生成装置３００のハードウエア資源とが協働した具体的手段として機能する。
【００５３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５４】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００５５】
１０  ネットワーク、５０  使用者、１００  地図処理システム、２００  表示装置、２０２  オブジェクトデータ取得部、２０４  オブジェクトデータ送信部、２１２  表示プログラム受信部、２２２  地図データ受信部、２３０  地図表示制御部、２３２  表示部、２６０  オブジェクトデータ、２６２  ＩＤ欄、２６４  緯度欄、２６６  経度欄、２６８  アイコン欄、２７０  サイズ欄、２７２  ｚＩｎｄｅｘ欄、２７４  局名欄、２７６  ＢＳＩＤ欄、２７８  セクタ１欄、２８０  セクタ２欄、２８２  セクタ３欄、３００  表示プログラム生成装置、３０２  オブジェクトデータ受信部、３０４  表示プログラム生成部、３０６  表示プログラム送信部、４００  地図データ提供装置、５００  基地局データベース、５０２  局名欄、５０４  ＢＳＩＤ欄、５０６  緯度欄、５０８  経度欄、５１０  リソース使用率欄、５１２  セクタ方向欄、６００  地図表示画面、６０２  地図領域、６０４  オブジェクト選択領域、６１０  基地局状況、６１２  基地局アイコン、６１４  セクタ方向、６２０  神社、６２２  神社アイコン、６２４  オブジェクト名、６３０  イベント、６４０  テーマパーク
【要約】
【課題】地図情報提供サーバが提供するサービスの使用方法を習得する負担を軽減でき、任意のデータを効率的に地図上に配置できるシステムが望まれていた。
【解決手段】複数のオブジェクトのそれぞれに緯度経度情報が対応付けられたオブジェクトデータを表示装置から受信するオブジェクトデータ受信部と、複数のオブジェクトを、地図データにおける緯度経度情報が示す緯度経度に配置して表示させるための表示プログラムを生成する表示プログラム生成部とを有する表示プログラム生成装置と、表示プログラムを表示プログラム生成装置から受信する表示プログラム受信部と、地図データ提供装置から地図データを受信する地図データ受信部と、表示プログラムを実行することにより、地図データ受信部が受信した地図データに、複数のオブジェクトを配置して表示させる地図表示部とを有する表示装置とを備える地図処理システムを提供する。
【選択図】図２【図１】
0005575999.tif 000002
【図２】
0005575999.tif 000003
【図３】
0005575999.tif 000004
【図４】
0005575999.tif 000005
【図５】
0005575999.tif 000006
【図６】
0005575999.tif 000007